(57)【特許請求の範囲】
【請求項１】
筐体のスライダ取付部に第１の方向に摺動可能に取付けられるスライダと、前記第１の方向に直交する第２の方向に摺動可能に前記スライダに取付けられる操作部と、を有するスライドスイッチであって、
前記筐体の表面側に露出し、操作者の手動操作を受ける露出部分が前記操作部に設けてあり、
前記スライダは、前記第１の方向に直交する第２の方向に案内面が設けられた案内溝を有し、
前記露出部分から前記スライダ取付部における前記筐体の内部側に向けて延び、前記案内溝に案内されるように嵌められている摺動部が前記操作部にさらに設けてあり、
前記露出部分は、前記案内溝の対向する案内面間の幅より大きい、前記第１の方向に平行な方向の幅を有し、
前記第１の方向に平行な方向の幅が、前記案内溝の対向する案内面間の幅より大きい後部部材が、前記摺動部における端部であって、前記筐体の内部側の端部に設けられており、
前記案内溝は前記露出部分と前記後部部材との間に嵌められており、
前記筐体を支点とし、前記第２の方向のうちの一方に向けて前記操作部を押す付勢力を与える弾性体と、前記第２の方向のうちの前記一方に向けて突出した突起とが、前記後部部材に設けてあり、
前記スライダが前記第１の方向にスライドするとき、前記付勢力により前記突起が嵌められる係止部が前記第１の方向に関して間隔を置いて、前記スライダ取付部における前記筐体の複数個所に設けてあり、
前記突起は、前記露出部分の操作により前記操作部が前記付勢力に抗して、前記第２の方向のうちの前記一方とは逆に向けて押されたとき、前記係止部から外れる
ことを特徴とするスライドスイッチ。
【請求項２】
前記弾性体および前記突起は、前記後部部材に、前記第２の方向に関し互いに反対側に、設けてある
ことを特徴とする請求項１に記載のスライドスイッチ。
【請求項３】
前記弾性体は、プラスチック製の板状バネまたは棒状バネである
ことを特徴とする請求項１又は２に記載のスライドスイッチ。
【請求項４】
前記スライダ取付部は、前記スライダが前記第１の方向にスライド可能に収容されるスライダ収納凹部と、該スライダ収納凹部における前記筐体の奥側壁に開けられた背面窓部とを有し、
前記係止部は、前記背面窓部における側面であって、前記第１の方向に平行な面に設けてある
ことを特徴とする請求項１ないし３の何れかに記載のスライドスイッチ。
【請求項５】
前記露出部分の操作により前記付勢力に抗して、前記第２の方向のうちの前記一方とは逆に向けて前記操作部を押すことにより、前記突起の先端を前記係止部から外し、前記露出部分を僅かに前記第１の方向にスライドし、前記露出部分の操作を解除したとき、前記突起の先端は、前記背面窓部における側面である前記第１の方向に平行な面に前記付勢力により当接する
ことを特徴とする請求項４に記載のスライドスイッチ。
【請求項６】
筐体のスライダ取付部に第１の方向に摺動可能に取り付けたスライダを該第１の方向に関する複数の位置で保持するスライダ保持構造であって、
操作部を、前記第１の方向に直交する第２の方向に摺動可能に前記スライダに設け、
前記筐体の表面側に露出し、操作者の手動操作を受ける露出部分が前記操作部に設けてあり、
前記スライダは、前記第１の方向に直交する第２の方向に案内面が設けられた案内溝を有し、
前記露出部分から前記スライダ取付部における前記筐体の内部側に向けて延び、前記案内溝に案内されるように嵌められている摺動部が前記操作部にさらに設けてあり、
前記露出部分は、前記案内溝の対向する案内面間の幅より大きい、前記第１の方向に平行な方向の幅を有し、
前記第１の方向に平行な方向の幅が、前記案内溝の対向する案内面間の幅より大きい後部部材が、前記摺動部における端部であって、前記筐体の内部側の端部に設けられており、
前記案内溝は前記露出部分と前記後部部材との間に嵌められており、
前記筐体を支点とし、前記第２の方向のうちの一方に向けて前記操作部を押す付勢力を与える弾性体と、前記第２の方向のうちの前記一方に向けて突出した突起とを、前記後部部材に設け、
前記スライダが前記第１の方向にスライドするとき、前記付勢力により前記突起が嵌められる係止部を前記第１の方向に関して間隔を置いて、前記スライダ取付部における前記筐体の複数個所に設け、
前記突起は、前記露出部分の操作により前記操作部が前記付勢力に抗して、前記第２の方向のうちの前記一方とは逆に向けて押されたとき、前記係止部から外れる
ことを特徴とするスライドスイッチのスライダ保持構造。
【発明の詳細な説明】
【技術分野】
【０００１】
本発明は、携帯電話、音楽プレーヤーなどの電子装置に設けられるスライドスイッチおよびスライドスイッチのスライダ保持構造に関する。
【背景技術】
【０００２】
スライドスイッチは、携帯電話や携帯音楽プレーヤーなどの携帯電子装置に多用されている。携帯電子装置は、衣服のポケットやカバンに収納されことが多い。また、スライドスイッチは、装置の筐体外面に操作用の部材（スライダ）を露出して、筐体に取り付けられる。そこで、携帯電子装置をポケットやカバンに収納して、移動する際や、ポケットやカバンからの取り出しや収納の動作において、スライダが他の物体に当たり、スライダが操作者の意図に反して移動（スライド）してしまい、装置の誤動作を招くことがある。
【０００３】
図６は、従来のスライドスイッチの組立工程を示す図である。図６において、（Ａ）はスライダ２００を、（Ｂ）はスライダ取付部３００が設けられた筐体４を、（Ｃ）はスライダ２００を筐体４に組み込んでなるスライドスイッチを示す斜視図である。この（Ｃ）に示すスライドスイッチは、電子装置の筐体４に設けたスライダ取付部３００に、矢印５００で示すようにスライダ２００を嵌め込み、組み立てられる。図６において、筐体４は、電子装置全体の筐体におけるスライダ取付部３００近傍だけを切り出して示してある。
【０００４】
図６のスライドスイッチでは、スライダ本体２０１の表側（筐体４に取付けられた状態で、筐体４の表面側に露出する面）に操作部１００が固定され、スライダ本体２０１の裏側（筐体４に取付けられた状態で、筐体４の表面より奥側に位置し、筐体４の表面には現れない面）に脱落防止爪２１〜２４が設けてある。但し、脱落防止爪２３および２４は、図には表れていない。脱落防止爪２１〜２４は、スライダ取付部３００における背面窓部３４の裏面に先端部が摺動可能に掛り、スライダ２００を図６（Ｃ）における矢印ｘ方向に移動させるときに、背面窓部３４の後側における上縁および下縁を案内面として、スライダ２００を案内する。脱落防止爪２１および２２がその上縁に案内され、脱落防止爪２３および２４がその下縁に案内される。
【０００５】
脱落防止爪２１〜２４は、弾性のあるプラスチック製であり、スライダ本体２０１の裏面からこの裏面に対し鉛直方向に伸びた２mm程度の厚みの板状部と、その板状部の先端に形成された鍵型部とでなる。その板状部の長さは、背面窓部３４の奥行き寸法より僅かに長い。鍵型部は、矢形（片側のみに張り出し部を有する片側矢の形）をなす。脱落防止爪２１の鍵型部の上側外縁（矢形における上側に最も張り出した部分）と脱落防止爪２３の鍵型部の下側外縁（矢形における下側に最も張り出した部分）との距離および脱落防止爪２２の鍵型部の上側外縁と脱落防止爪２４の鍵型部の下側外縁との距離は、同じであり、また、板状部が外力により曲げられないとき、背面窓部３４の縦方向（ｙ方向）寸法（上縁と下縁との間隔）より大きい。
【０００６】
脱落防止爪２１〜２４がこのような構造を有するので、スライダ２００が図６の矢印５００沿って、スライダ取付部３００に嵌め込まれる際に、脱落防止爪２１および２２の鍵型部は、背面窓部３４の上側の側面に、脱落防止爪２３および２４の鍵型部は、背面窓部３４の下側の側面に、それぞれ当接し、弾性を有する板状部で内側に僅かに曲げられながら、奥に向かって押し込まれる。この押し込み工程で、脱落防止爪２１〜２４の鍵型部が背面窓部３４の奥行きを越えたときに、脱落防止爪２１および２２の鍵型部は背面窓部３４の上側の背面側に、脱落防止爪２３および２４の鍵型部は背面窓部３４の下側の背面側に、前記板状部の弾性でパチンと嵌る。
【０００７】
脱落防止爪２１〜２４は、背面窓部３４に嵌められたとき、背面窓部３４の裏側面に密着し、スライダ２００は図６（Ｃ）のｘ方向に摺動可能となる。スライダ２００には電気端子が設けてあり、スライダ２００をｘ方向に摺動することにより、その電気端子と筐体４側の電気端子との接触のＯＮ／ＯＦＦがなされる（電気端子の図示は省略してある。）。従来のスライドスイッチは、このような構造を有していた。
【０００８】
図６を参照して説明した従来のスライドスイッチには、上述したように、携帯電子装置をポケットやカバンに収納して、移動する際や、ポケットやカバンからの取り出しや収納の動作において、スライダ２００が他の物体に当たり、スライダ２００が操作者の意図に反して移動（スライド）してしまい、装置の誤動作を招くことがあった。また、操作者自身が誤って、スライダ２００を意図せずにスライドさせてしまうという誤操作が起こり易かった
【０００９】
このような装置の誤動作を防ぐためのスライドスイッチとして、例えば特許文献１（特開昭６１−１５６１３３号公報）に「スイッチのクリック機構」なる名称で開示された構造がある。この特許文献１における図１の構造では、ケース（１３）にスライド（１４）が摺動可能に収められ、ケース（１３）の片方の側面に板バネ（１８）が設けてある。ケース（１３）には、板バネ（１８）とは反対側の側面に突起（１９）が設けてある。スライド（１４）には、板バネ（１８）側の側面に摺動突起（１６）が、突起（１９）側の側面に複数の凹部１７が設けてある。また、スライド（１４）には、操作摘み（１５）が固定してある。操作摘み（１５）は、ケース（１３）の外に棒状に突き出ている。摺動突起（１６）が板バネ（１８）を押していることにより、スライド（１４）は、ケース（１３）の突起（１９）側に付勢されている。このとき、スライド（１４）の凹部（１７）にケース（１３）の突起（１９）が嵌っていると、スライド（１４）がスライド方向に所定の大きさ以上の外力を受けるまでは、その位置に保持される。操作者が、スライド（１４）の操作摘み（１５）をスライド方向に押し、その押す力が所定の外力を越えると、突起（１９）に嵌っているスライド（１４）の凹部（１７）は、その突起（１９）を越える。そして、そのまま操作摘み（１５）を押し続けると、スライド（１４）の別の凹部（１７）が突起（１９）に嵌り、スライド（１４）その位置で保持される。
【先行技術文献】
【特許文献】
【００１０】
【特許文献１】実開昭６１−１５６１３３号公報
【発明の開示】
【発明が解決しようとする課題】
【００１１】
上記特許文献１に開示された従来のスライドスイッチの構造では、スライド（１４）は、３つの凹部（１７）を有し、それらの凹部（１７）にケース（１３）の突起（１９）が嵌る都度に、保持される。しかしながら、スライド（１４）の操作摘み（１５）がカバンの中で何かの物体に押されたり、ポケットから携帯電子装置を取り出す際にスライド（１４）の操作摘み（１５）がポケットの縁に引っ掛かったりして、所定の値以上の力が操作摘み（１５）に加わると、スライド（１４）の凹部（１７）がケース（１３）の突起（１９）から外れ、電子装置に操作者の意図とは異なる動作をさせてしまうことがある。
（本発明の目的）
【００１２】
本発明は、かかる事情に鑑みてなされたものであり、スライダや操作摘み等の操作部に操作者の意図しない外力が加わっても、誤動作をし難いスライドスイッチおよびスライドスイッチのスライダ保持構造を提供することを目的とする。
【課題を解決するための手段】
【００１３】
前述の課題を解決するため、本発明によるスライドスイッチおよびスライドスイッチのスライダ保持構造は、主に、次のような特徴的な構成を採用している。
【００１４】
（１）本発明によるスライドスイッチは，筐体のスライダ取付部に第１の方向に摺動可能に取付けられるスライダと、前記第１の方向に直交する第２の方向に摺動可能に前記スライダに取付けられる操作部と、を有するスライドスイッチであって、
前記筐体の表面側に露出し、操作者の手動操作を受ける露出部分が前記操作部に設けてあり、
前記スライダは、前記第１の方向に直交する第２の方向に案内面が設けられた案内溝を有し、
前記露出部分から前記スライダ取付部における前記筐体の内部側に向けて延び、前記案内溝に案内されるように嵌められている摺動部が前記操作部にさらに設けてあり、
前記露出部分は、前記案内溝の対向する案内面間の幅より大きい、前記第１の方向に平行な方向の幅を有し、
前記第１の方向に平行な方向の幅が、前記案内溝の対向する案内面間の幅より大きい後部部材が、前記摺動部における端部であって、前記筐体の内部側の端部に設けられており、
前記案内溝は前記露出部分と前記後部部材との間に嵌められており、
前記筐体を支点とし、前記第２の方向のうちの一方に向けて前記操作部を押す付勢力を与える弾性体と、前記第２の方向のうちの前記一方に向けて突出した突起とが、前記後部部材に設けてあり、
前記スライダが前記第１の方向にスライドするとき、前記付勢力により前記突起が嵌められる係止部が前記第１の方向に関して間隔を置いて、前記スライダ取付部における前記筐体の複数個所に設けてあり、
前記突起は、前記露出部分の操作により前記操作部が前記付勢力に抗して、前記第２の方向のうちの前記一方とは逆に向けて押されたとき、前記係止部から外れる
ことを特徴とする。
【００１５】
（２）本発明によるスライドスイッチのスライダ保持構造は、筐体のスライダ取付部に第１の方向に摺動可能に取り付けたスライダを該第１の方向に関する複数の位置で保持するスライダ保持構造であって、
操作部を、前記第１の方向に直交する第２の方向に摺動可能に前記スライダに設け、
前記筐体の表面側に露出し、操作者の手動操作を受ける露出部分が前記操作部に設けてあり、
前記スライダは、前記第１の方向に直交する第２の方向に案内面が設けられた案内溝を有し、
前記露出部分から前記スライダ取付部における前記筐体の内部側に向けて延び、前記案内溝に案内されるように嵌められている摺動部が前記操作部にさらに設けてあり、
前記露出部分は、前記案内溝の対向する案内面間の幅より大きい、前記第１の方向に平行な方向の幅を有し、
前記第１の方向に平行な方向の幅が、前記案内溝の対向する案内面間の幅より大きい後部部材が、前記摺動部における端部であって、前記筐体の内部側の端部に設けられており、
前記案内溝は前記露出部分と前記後部部材との間に嵌められており、
前記筐体を支点とし、前記第２の方向のうちの一方に向けて前記操作部を押す付勢力を与える弾性体と、前記第２の方向のうちの前記一方に向けて突出した突起とを、前記後部部材に設け、
前記スライダが前記第１の方向にスライドするとき、前記付勢力により前記突起が嵌められる係止部を前記第１の方向に関して間隔を置いて、前記スライダ取付部における前記筐体の複数個所に設け、
前記突起は、前記露出部分の操作により前記操作部が前記付勢力に抗して、前記第２の方向のうちの前記一方とは逆に向けて押されたとき、前記係止部から外れる
ことを特徴とする。
【発明の効果】
【００１６】
本発明によれば、スライダや操作摘み等の操作部に操作者の意図しない外力が加わっても、誤動作をし難いスライドスイッチおよびスライドスイッチのスライダ保持構造を得ることができる。
【図面の簡単な説明】
【００１７】
【図１】本発明の一実施形態であるスライドスイッチの組立工程を示す図である。
【図２】図１に示したスライドスイッチにおける操作部を拡大して示す斜視図である。
【図３】図１に示したスライドスイッチにおけるスライダを拡大して示す斜視図である。
【図４】図１に示したスライドスイッチにおけるスライダ取付部を拡大して示す斜視図である。
【図５】図１に示したスライドスイッチにおける各部を詳しく示す図である。
【図６】従来のスライドスイッチの組立工程を示す図である。
【発明を実施するための形態】
【００１８】
以下、本発明によるスライドスイッチおよびスライドスイッチのスライダ保持構造の好適な実施形態について添付図を参照して説明する。なお、以下の説明においては、本発明によるスライドスイッチについて主に説明し、本発明によるスライドスイッチのスライダ保持構造は、スライドスイッチの説明に併せて説明される。
【００１９】
（本発明の特徴）
本発明の実施形態の説明に先立って、本発明の特徴についてその概要をまず説明する。本発明のスライドスイッチは、筐体のスライダ取付部に第１の方向（スライド方向。ｘ方向とする。）に摺動可能に取付けられる。このスライドスイッチは、その筐体の表面側に露出した露出部分で操作者の手動操作を受ける操作部を有する。そして、その操作部は、ｘ方向に直交する第２の方向（ｙ方向とする。）に摺動可能に、スライダに取付けてある。操作部には、筐体を支点とし、ｙ方向のうちの一方（＋ｙ方向または−ｙ方向）に向けて操作部を押す付勢力を与える弾性体（プラスチック製の板バネなど）と、ｙ方向のうちの前記一方（例えば、−ｙ方向）に向けて突出した突起とが、設けてある。スライダがｘ方向にスライドするとき、付勢力により突起が嵌められる係止部（係止スリット）がｘ方向に関して間隔を置いて、スライダ取付部における筐体の複数個所に設けてある。突起は、露出部分の操作により操作部が付勢力に抗して、ｙ方向のうちの前記一方とは逆に向けて（例えば、＋ｙ方向）押されたとき、係止部から外れる。
【００２０】
上記本発明の特徴により、スライダはｘ方向にスライドされ、操作部の突起が筐体の係止部（係止スリット）に嵌ると、操作部をｙ方向のうちの前記一方とは逆に向けて（例えば、＋ｙ方向）押さない限り、その突起は係止部から外れない。したがって、スライダに外部の物が当たったりしても、外部の物から受ける力がｘ方向だけであれば、操作部の突起は係止部から外れないから、操作者の意図しないときにスライダが動くことは無く、電子装置が操作者の意図しない作動をすることを防ぐことができる。
【００２１】
（実施形態の構成例）
次に、本発明によるスライドスイッチの実施形態について、図１から図５を参照して説明する。図１は、本発明の一実施形態であるスライドスイッチの組立工程を示す図である。また、図２、図３および図４は、図１における操作部、スライダおよびスライダ取付部をそれぞれ拡大して示す斜視図である。
【００２２】
図１のスライドスイッチにおいて、（Ａ）は操作部１を、（Ｂ）はスライダ２を、（Ｃ）はスライダ取付部３をそれぞれ示す。操作部１は、図２に詳しく示すように、操作部本体１１（特許請求の範囲における露出部分に相当）、後部板１２（特許請求の範囲における後部部材に相当）、縦方向摺動円柱部１３（特許請求の範囲における摺動部に相当）、突起１４、バネ１５（特許請求の範囲における弾性体に相当）を有してなる。バネ１５は、後部板１２の上面１２ａに片端を固定されたプラスチック製の板バネである（バネ１５は、プラスチック製の棒状のバネや、他の弾性体で構成しても差し支えない。）。突起１４は、後部板１２の下面１２ｂから下方に突出してなる。スライダ２は、図３に詳しく示すように、縦方向案内溝２０（特許請求の範囲における案内溝に相当）、脱落防止爪２１，２２を有する。スライダ取付部３は、図４に詳しく示すように、筐体４に設けられたスライダ収納凹部３０、係止スリット３１，３２，３３（特許請求の範囲における係止部に相当）、背面窓部３４を有している。
【００２３】
図１を再び参照して説明を続ける。図１に矢印１０１で概念的に示すように、操作部１の縦方向摺動円柱部１３をスライダ２の縦方向案内溝２０に摺動可能に嵌め、操作部１とスライダ２とを組み合わせる。次に、操作部１が組み合わされたスライダ２が、図１に矢印１０２で概念的に示すように、スライダ取付部３のスライダ収納凹部３０に嵌められ、図１（Ｄ）に示すスライダスイッチが組み立てられる。スライダ２の脱落防止爪２１〜２４は、従来のスライドスイッチについて図６を参照して、先に説明したところと同じ構造である。組み立てられたスライダスイッチでは、スライダ２は、筐体４に対し、図１（Ｄ）のｘ方向にスライド可能である。また、操作部１は、スライダ２に対し、図１（Ｄ）のｙ方向にスライド可能である。
【００２４】
図１に示すスライドスイッチでは、スライダ２の表側（筐体４に取付けられた状態で、筐体４の表面側に露出する面）に操作部本体１１がｙ方向に摺動可能に嵌められ、スライダ２の裏側（筐体４に取付けられた状態で、筐体４の表面より奥側に位置し、筐体４の表面には現れない側）に脱落防止爪２１〜２４が設けてある。但し、脱落防止爪２３および２４は、図１には表れていない。脱落防止爪２１〜２４は、スライダ取付部３における背面窓部３４の裏面に先端部が摺動可能に掛り、スライダ２を図１（Ｄ）における矢印ｘ方向に移動させるときに、背面窓部３４の後側における上縁（図５における背面窓部後上側縁３４ｂ）および下縁（図４、図５における背面窓部後下側縁３４ｃ）を案内面として、スライダ２を案内する。脱落防止爪２１および２２がその上縁で案内され、脱落防止爪２３および２４がその下縁で案内される。
【００２５】
脱落防止爪２１〜２４は、弾性のあるプラスチック製であり、スライダ２の裏面からこの裏面に対し直交する方向に伸びた２mm程度の厚みの板状部と、その板状部の先端に形成された鍵型部とでなる。その板状部の長さは、背面窓部３４の奥行き寸法より僅かに長い。鍵型部は、矢形（片側のみに張り出し部を有する片側矢の形）をなす。脱落防止爪２１の鍵型部の上側外縁（矢形における上側に最も張り出した部分）と脱落防止爪２３の鍵型部の下側外縁（矢形における下側に最も張り出した部分）との距離および脱落防止爪２２の鍵型部の上側外縁と脱落防止爪２４の鍵型部の下側外縁との距離は、同じであり、また、板状部が外力により曲げられないとき、背面窓部３４の縦方向（ｙ方向）寸法（上縁と下縁との間隔）より大きい。
【００２６】
脱落防止爪２１〜２４がこのような構造を有するので、スライダ２が図１の矢印１０２沿って、スライダ取付部３に嵌め込まれる際に、脱落防止爪２１および２２の鍵型部は、背面窓部３４の上側の側面（図５における背面窓部上側面３４ｂ）に、脱落防止爪２３および２４の鍵型部は、背面窓部３４の下側の側面（図４、図５における背面窓部下側面３４ａ）に、それぞれ当接し、弾性を有する板状部で内側に僅かに曲げられながら、奥に向かって押し込まれる。この押し込み工程で、脱落防止爪２１〜２４の鍵型部が背面窓部３４の奥行きを越えたときに、脱落防止爪２１および２２の鍵型部は背面窓部３４の上側の背面側に、脱落防止爪２３および２４の鍵型部は背面窓部３４の下側の背面側に、前記板状部の弾性でパチンと嵌る。
【００２７】
脱落防止爪２１〜２４は、背面窓部３４に嵌められたとき、背面窓部３４の裏側面に密着し、スライダ２は図１（Ｄ）のｘ方向に摺動可能となる。スライダ２には電気端子が設けてあり、スライダ２をｘ方向に摺動することにより、その電気端子と筐体４側の電気端子との接触のＯＮ／ＯＦＦがなされる（電気端子の図示は省略してある。）。
【００２８】
図５（Ａ）は、図１（Ｄ）のスライダスイッチを正面から見た図であり、スライダスイッチにおけるスライダ２および操作部本体１１のスライド方向を示す図である。図５（Ｂ）は図５（Ａ）に示す構造の右側面図、図５（Ｃ）は図５（Ｂ）におけるＺＺ線矢視断面図である。スライダ２は、図６に示した従来のスライダスイッチと同様に、スライダ収納凹部３０内でｘ方向にスライド可能である。スライダ２に摺動可能に嵌められている操作部１の操作部本体１１は、スライダ２の表面より僅かに外側に張り出しており、操作者の手動操作によるｘ方向の力は操作部本体１１に容易に加えられる。操作部１の縦方向摺動円柱部１３とスライダ２の縦方向案内溝２０との嵌め合い構造において、ｘ方向には実質上遊びが無いので、操作部本体１１加えられるｘ方向の力により、スライダをｘ方向（プラス（＋）ｘ方向またはマイナス（−）ｘ方向）にスライドさせることは、容易にできる。
【００２９】
同様に、操作者の手動操作によるｙ方向の力も操作部本体１１加えられる。ｙ方向の力が操作部本体１１加えられると、操作部１の縦方向摺動円柱部１３がスライダ２の縦方向案内溝２０に案内されて、操作部１はスライダ２に対しｙ方向に摺動する。図１（Ｄ）の状態に組み合わされたとき、操作部１におけるバネ１５は、背面窓部３４の上側側面（背面窓部上側面３４ｂ、図５（Ｃ）参照。）に当接している。バネ１５は、図２によく現れているように、「へ」の字状に湾曲しており、その湾曲した形の頂点部が背面窓部上側面３４ｂに当接している。そして、突起１４は、背面窓部３４の背面窓部下側面面３４ａに当接している。バネ１５は、背面窓部３４の背面窓部上側面３４ｂを支点として、後部板１２を下方に常に押すことにより、操作部１に対し下方（マイナス（−）ｙ方向）に向かう付勢力を与えている。操作部１が下方（マイナス（−）ｙ方向）に向かう付勢力を受けるので、操作部１をｘ方向に摺動させることにより、突起１４は係止スリット３１，３２または３３のうちの何れかに嵌る。突起１４が係止スリット３１，３２または３３のうちの何れかに嵌った状態が、図１のスライドスイッチの保持状態、即ちロック状態である。
【００３０】
図１のスライドスイッチが保持状態にあるときは、そのスライドスイッチを有する携帯電子装置がカバンやポケットの中あり、何らかの原因でそのスライドスイッチの操作部本体１１に他の物が触れ、スライダ２のスライド方向（ｘ方向）の外力が操作部本体１１に掛ったとしても、スライダ２は全く動かないので、電子装置が操作者（電子装置の所持者）の意図に反した作動をすることはない。また、図１のスライドスイッチが保持状態にあるときに、操作者が誤って操作部本体１１にスライド方向（ｘ方向）の力を掛けてしまったときも、操作部本体１１は全く動かないので、同様に、操作者（電子装置の所持者）の意図に反して、電子装置を作動させてしまうことは避けられる。
【００３１】
いま、図１のスライドスイッチにおいて、突起１４が係止スリット３２に嵌ることにより、スライドスイッチが保持状態にあり（図５（Ｃ）の状態）、電子装置をある状態（例えば、音楽再生モード）にセットしているとき、電子装置を別の状態（例えば、録音モード）にセットするために、スライドスイッチのスライダ２を動かそうとするときは、バネ１５によるマイナス（−）ｙ方向の付勢力に抗して、操作部本体１１にプラス（＋）ｙ方向の力を加え、操作部本体１１をプラス（＋）ｙ方向に動かし、突起１４を係止スリット３２から外し、この状態で僅かに操作部本体１１をｘ方向（例えばマイナス（−）ｘ方向）にスライドさせると、操作部本体１１に加えるプラス（＋）ｙ方向の力を抜いてゼロに戻しても、突起１４は係止スリット１４から外れて、係止スリット１４から僅かにマイナス（−）ｘ方向に寄った位置で、バネ１５の付勢力により背面窓部下側面３４ａに押し付けられる。この状態で、操作部本体１１を更にマイナス（−）ｘ方向にスライドさせると、突起１４の先端は背面窓部下側面３４ａを摺動し、突起１４が隣の係止スリット３１の位置に至ったとき、バネ１５の付勢力により、突起１４は係止スリット３１に嵌り、図１のスライドスイッチは新たな保持状態にセットされる。
【００３２】
以上に、図１〜図５を参照し、詳しく説明したように、本実施の形態のスライドスイッチによれば、操作部本体１１にプラス（＋）ｙ方向の力を加えることによってのみ、突起１４を係止スリット３１,３２または３３から外し、スライドスイッチのある一つの保持状態を外すことができ、操作者の意図しないｘ方向の外力が操作部本体１１に加わったとしても、スライダ２は全く動かないので、操作者の意図しない状態に電子装置を陥れる虞は回避される。他方、操作者が保持状態の変更を意図するときは、操作部本体１１にプラス（＋）ｙ方向の力を加え、突起１４を係止スリット３１,３２または３３から外し、操作部本体１１にｘ方向の力を加えることにより、スライダをｘ方向にスライドすることにより、任意の別の保持状態に電子装置をセットすることが容易にできる。かくして、図１〜図５に示した本実施の形態のスライドスイッチによれば、電子装置を操作者（電子装置の所持者）の意図に反して作動させてしまうこと事態が避けられる。
【００３３】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００３４】
１，１００      操作部
２，２００      スライダ
３，３００      スライダ取付部
４    電子装置の筐体
１１      操作部本体
１２      後部板
１２ａ      後部板１２の上面
１２ｂ      後部板１２の下面
１３      縦方向摺動円柱部
１４      突起
１５      バネ
２０      縦方向案内溝
３０      スライダ収納凹部
３０ａ    スライダ収納凹部下側面
２１,２２      脱落防止爪
３１，３２，３３      係止スリット
３４      背面窓部
３４ａ      背面窓部下側面
３４ｂ      背面窓部上側面
３４ｃ      背面窓部後下側縁
２０１      操作部本体
ｘ      スライダ１または１００のスライド方向
ｙ      操作部１のスライド方向
【要約】
【課題】スライダや操作摘み等の操作部に操作者の意図しない外力が加わっても、誤動作をし難いスライドスイッチを提供する。
【解決手段】スライダ２の縦方向案内溝２０に操作部１の縦方向摺動円柱部１３が摺動可能に嵌められている。縦方向摺動円柱部１３の後部板１２には突起１４とバネ１５とが設けてある。バネ１５は、下方（−ｙ方向）に向かう力で操作部１を付勢するので、スライダ２がスライダ取付部３内でｘ方向にスライドされるとき、突起１４は係止スリット３１，３２又は３３の内の何れかに嵌り、保持状態（ロック状態）になる。保持状態では、スライダ２にｘ方向の意図しない外力が加わっても、突起１４が係止スリットの何れかに嵌っているので、保持状態は維持され、操作部に外力が加わっても、電子装置が意図しない状態に陥ることを避けることができる。
【選択図】        図１【図１】
0005229755.tif 000002
【図２】
0005229755.tif 000003
【図３】
0005229755.tif 000004
【図４】
0005229755.tif 000005
【図５】
0005229755.tif 000006
【図６】
0005229755.tif 000007